(57)【要約】      （修正有）【課題】水平方向の前側及び後側の外耳道の耳垢を掻き出し、さらに外耳道外に掻き出すための耳かきを提供する。【解決手段】耳かき１００は、一体的に形成された棒状の軸部Ｓと杓子状の耳かき部Ｅ１と、円盤状の耳かき部Ｅ２とで構成し、棒状の軸部Ｓの先端の一端（ＳＡ）に、杓子状の耳かき部Ｅ１を設け、さらに、他端（ＳＢ）に、円盤状の耳かき部Ｅ２を設ける。使用に当たっては、円盤状の耳かき部Ｅ２により、水平方向の後側の外耳道のみならず、水平方向の前側の外耳道、さらに、垂直方向の上下側の外耳道に付着した耳垢を削ぎ落とし、さらに削ぎ落とした耳垢を外耳道外に掻き出す。【選択図】図１
0003152975.tif 000002
【実用新案登録請求の範囲】
【請求項１】
棒状の軸部の先端の一端（ＳＡ）に、杓子状の耳かき部を設け、
前記棒状の軸部の先端の他端（ＳＢ）に、円盤状の耳かき部を設けたことを特徴とする耳かき。
【請求項２】
棒状の軸部と、杓子状の耳かき部と、円盤状の耳かき部とが一体的成形されたことを特徴とする請求項１に記載の耳かき。
【請求項３】
棒状の軸部と杓子状の耳かき部とが一体的成形され、棒状の軸部と円盤状の耳かき部とは接着成形されたことを特徴とする請求項１〜２の何れかに記載の耳かき。
【請求項４】
棒状の軸部の先端の端（ＳＢ）に、円盤状の耳かき部を設けたことを特徴とする耳かき。
【考案の詳細な説明】
【技術分野】
【０００１】
本考案は、耳垢を掻き出すための耳かきに関する。
より詳細には、水平方向の後側の外耳道のみならず、水平方向の前側の外耳道に付着した耳垢を削ぎ落とし掻き出すための耳かきに関する。
さらに、水平方向の後側の外耳道のみならず、水平方向の前側の外耳道、垂直方向の上下側の外耳道に付着した耳垢を削ぎ落とし掻き出すための耳かきに関する。
【背景技術】
【０００２】
従来の耳かきは、細い棒状の柄の先端に杓子状の耳掻き部を備え、この部分を外耳道内の皮膚に沿って掻き出すような動作や耳内に出し入れする動作を繰り返して行うことで、耳垢を掻き出すものであった。
【０００３】
水平方向の後側の外耳道だけ掻き出すための耳かきであれば、従来の耳かきで十分耳かきとしての目的を達成しているのであるが、従来の耳かきでは、水平方向の前側の外耳道を掻き出すことができなかった。
従来、特許文献１乃至３に記載するような技術が提案されている。
【特許文献１】特開２００２−２３８７９６号公報
【特許文献２】特開２００４−８９５８５号公報
【特許文献３】特開２００５−１１１１０２号公報
【考案の開示】
【考案が解決しようとする課題】
【０００４】
本考案が解決しようとする第１の課題（第１の課題）は、
水平方向の後側の外耳道のみならず、水平方向の前側の外耳道を掻き落とすための耳かきを提供することである。
本考案が解決しようとする第２の課題（第２の課題）は、
水平方向の後側の外耳道のみならず、水平方向の前側の外耳道を削ぎ落とし、さらに削ぎ落とした耳垢を外耳道外に掻き出すための耳かきを提供することである。
本考案が解決しようとする第３の課題（第３の課題）は、
水平方向の後側の外耳道のみならず、水平方向の前側の外耳道、さらに、垂直方向の上下側の外耳道に付着した耳垢を削ぎ落とし、さらに削ぎ落とした耳垢を外耳道外に掻き出すための耳かきを提供することである。
【課題を解決するための手段】
【０００５】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
【０００６】
○杓子状の耳かき部とは、従来の耳かきの一端に取り付けられた杓子の形状をしたものであって、水平方向の後側の外耳道を主として掻き落とすためのものをいう。
【０００７】
○円盤状の耳かき部とは、水平方向の後側の外耳道のみならず、水平方向の前側の外耳道を削ぎ落とし、さらに削ぎ落とした耳垢を外耳道外に掻き出すためのものである。
○軸部とは、杓子状の耳かき部と円盤状の耳かき部とを繋ぐためのもの棒状のものをいう。
〇一体的成形とは、本願明細書においては、一つの材料から接着接合されることなく構成されていることをいう。
〇接着成形とは、複数の材料同士を接着により接合されて構成されていることをいう。
○外耳道（外耳道壁ともいう。）とは、耳の穴から鼓膜までの管（管壁）をいう。
外耳道は、
垂直方向の上側の外耳道、
垂直方向の下側の外耳道、
水平方向の前側の外耳道、
水平方向の後側の外耳道
に分類される。
外耳道断面（図示省略）の上下左右方向に分類され、上下方向は明確であるが、左右方向は紙面に向かって左右の意味で、不明確であるので、明確にするため、水平方向の前側の外耳道、水平方向の後側の外耳道の表現を用いることとする。
○耳垢とは、外耳道に付着した耳垢をいう。
耳垢は、
垂直方向の上側の外耳道に付着した耳垢、
垂直方向の下側の外耳道に付着した耳垢、
水平方向の前側の外耳道に付着した耳垢、
水平方向の後側の外耳道に付着した耳垢
の４種類に分類される。
○水平方向の前側とは、人の水平前方方向をいう。
○水平方向の後側とは、人の水平後方方向をいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来の耳かきの各種問題点に鑑み、鋭意検討を重ねて、本考案を完成したものである。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
棒状の軸部の先端の一端（ＳＡ）に、杓子状の耳かき部を設け、
前記棒状の軸部の先端の他端（ＳＢ）に、円盤状の耳かき部を設けたことを特徴とする耳かきである。
○第２の考案（請求項２に記載の考案）
上記の課題を解決するための第２の考案（請求項２に記載の考案）は、
棒状の軸部と、杓子状の耳かき部と、円盤状の耳かき部とが一体的成形されたことを特徴とする請求項１に記載の耳かきである。
○第３の考案（請求項３に記載の考案）
上記の課題を解決するための第３の考案（請求項３に記載の考案）は、
【０００８】
棒状の軸部と杓子状の耳かき部とが一体的成形され、棒状の軸部と円盤状の耳かき部とは接着されたことを特徴とする請求項１〜２の何れかに記載の耳かきである。
○第４の考案（請求項４に記載の考案）
上記の課題を解決するための第４の考案（請求項４に記載の考案）は、
棒状の軸部の先端の端（ＳＢ）に、円盤状の耳かき部を設けたことを特徴とする耳かきである。
【考案の効果】
【０００９】
本考案に係る、耳かきは、上記のような特徴的構成用件から構成され、特徴的構成用件に応じた、以下のような本願考案特有の効果を奏する。
また、上記のような特徴的構成用件から構成された耳かきによれば、本願考案の課題を十分解消することができた。
○第１の考案の効果
第１の考案によれば、
棒状の軸部の先端の一端（ＳＡ）に、杓子状の耳かき部を設け、
前記棒状の軸部の先端の他端（ＳＢ）に、円盤状の耳かき部を設けたことを特徴とする耳かきという特徴的な構成要件により、
本考案が解決しようとする第１の課題を達成することができ、当業者予測不可能な顕著な効果を奏することができた。
すなわち、水平方向の後側の外耳道を、従来と同じ杓子状の耳かきで掻き落とし、
次に、従来と同じ杓子状の耳かきでは掻き落とすことが難しい水平方向の後側の外耳道を、円盤状の耳かきで掻き落とすことにより、水平方向の後側の外耳道のみならず、水平方向の前側の外耳道を掻き出すための耳かきを提供するという本考案が解決しようとする第１の課題を達成することができ、当業者予測不可能な顕著な効果を奏することができた。
本考案が解決しようとする第２の課題を達成することができ、当業者予測不可能な顕著な効果を奏することができた。
【００１０】
すなわち、上記のようにして、従来と同じ杓子状の耳かきと円盤状の耳かきで掻き落とした、外耳道に付着した耳垢を、円盤状の耳かき部により、効率よく掻き出すことができ、水平方向の後側の外耳道のみならず、水平方向の前側の外耳道を削ぎ落とし、さらに削ぎ落とした耳垢を外耳道外に掻き出すための耳かきを提供するという本考案が解決しようとする第２の課題を達成することができ、当業者予測不可能な顕著な効果を奏することができた。
○第２の考案の効果
【００１１】
第２の考案によれば、棒状の軸部と、杓子状の耳かき部と、円盤状の耳かき部とが一体的成形されたことを特徴とする請求項１に記載の耳かきという本考案の構成をより明確化したことにより、本考案が解決しようとする第１課題、及び第２課題を達成することができ、当業者が予測不可能な顕著な効果を奏することができた。
○第３の考案の効果
【００１２】
第３の考案によれば、棒状の軸部と杓子状の耳かき部とが一体的成形され、棒状の軸部と円盤状の耳かき部とは接着成形されたことを特徴とする請求項１〜２の何れかに記載の耳かきという本考案の構成をより明確化したことにより、本考案が解決しようとする第１課題、及び第２課題を達成することができ、当業者が予測不可能な顕著な効果を奏することができた。
○第４の考案の効果
第４の考案によれば、棒状の軸部の先端の端（ＳＢ）に、円盤状の耳かき部を設けたことを特徴とする耳かきという特徴的な構成要件により、
本考案が解決しようとする第３の課題を達成することができ、当業者予測不可能な顕著な効果を奏することができた。
【００１３】
すなわち、従来と同じ杓子状の耳かきでは掻き落とすことが難しい水平方向の後側の外耳道を、円盤状の耳かきで掻き落とすことにより、水平方向の後側の外耳道のみならず、水平方向の前側の外耳道を掻き出すための耳かきを提供するという本考案が解決しようとする第１の課題を達成することができ、当業者予測不可能な顕著な効果を奏することができた。
【考案を実施するための最良の形態】
【００１４】
以下、本考案に係る、耳かきに関する最良の実施形態について、図面を参照しながら説明する。
図１は、本考案に係る、耳かきの正面図、及び側面図である。
図１（ａ）は、本考案に係る、耳かきの正面図である。
図１（ｂ）は、本考案に係る、耳かきの側面図である。
図２は、本考案に係る、杓子状の耳かき部、及び円盤状の耳かき部の拡大図である。
図２（ａ）は、本考案に係る、杓子状の耳かき部の拡大図である。
図２（ｂ）は、本考案に係る、円盤状の耳かき部の拡大図である。
図３は、本考案に係る、円盤状の耳かき部の斜視図である。
図４は、本考案に係る、他の実施態様を示す耳かきの正面図である。
＊＊＊＊＊＊＊＊＊＊＊＊＊＊＊＊＊＊＊＊＊＊＊＊＊＊＊＊＊＊＊＊＊＊＊
本考案に係る耳かき１００は、棒状の軸部Ｓと杓子状の耳かき部Ｅ１と、円盤状の耳かき部Ｅ２とから構成されている。
前記耳かき１００において、棒状の軸部Ｓの先端の一端（ＳＡ）に、杓子状の耳かき部Ｅ１を設け、
前記棒状の軸部の先端の他端（ＳＢ）に、円盤状の耳かき部Ｅ２を設けていることを特徴としている。
＊＊＊＊＊＊＊＊＊＊＊＊＊＊＊＊＊＊＊＊＊＊＊＊＊＊＊＊＊＊＊＊＊＊＊
前記耳かき１００において、棒状の軸部Ｓと、杓子状の耳かき部Ｅ１と、円盤状の耳かき部Ｅ２とが一体的成形されたことを特徴としている。
【００１５】
耳かき１００の素材としては、例えば、硬質プラスチック材、竹材又は木材、非鉄金属材が好ましい。硬質プラスチック材を用いるときは、公知の成型法及び装置により、棒状の軸部Ｓ、杓子状の耳かき部Ｅ１及び円盤状の耳かき部Ｅ２が一体的に成形される。また竹材又は木材を用いるときは、公知の工作機械によって、図１〜図３の示す形状に製作されるものである。
＊＊＊＊＊＊＊＊＊＊＊＊＊＊＊＊＊＊＊＊＊＊＊＊＊＊＊＊＊＊＊＊＊＊＊
【００１６】
前記耳かき１００において、棒状の軸部Ｓと杓子状の耳かき部Ｅ１とが一体的成形され、棒状の軸部と円盤状の耳かき部Ｅ２とは、例えば接着剤等により接着成形されたことを特徴としている。
＊  ＊＊＊＊＊＊＊＊＊＊＊＊＊＊＊＊＊＊＊＊＊＊＊＊＊＊＊＊＊＊＊＊＊
図４は、本考案に係る、耳かきの他の実施態様を示している。図示するよう
【００１７】
に、軸部Ｓは、太径部Ｓ１と細径部Ｓ２からなり、細径部Ｓ２の先端の他端ＳＢには、円盤状の耳かき部Ｅ２が設けられている。硬質プラスチック材を用いるとき、太径部Ｓ１と細径部Ｓ２及び円盤状の耳かき部Ｅ２は、公知の成型法及び装置により、一体的に成形することができる。また竹材又は木材を用いるときは、公知の工作機械によって、太径部Ｓ１と細径部Ｓ２の軸部Ｓは、一体的に製作した後、細径部Ｓ２の他端ＳＢに円盤状の耳かき部Ｅ２を接着剤等により接着するものである。
本実施態様の考案の特徴的構成要件、すなわち、円盤状の耳かき部Ｅ２により、水平方向の後側の外耳道のみならず、水平方向の前側の外耳道、さらに、垂直方向の上下側の外耳道に付着した耳垢を削ぎ落とし、さらに削ぎ落とした耳垢を外耳道外に掻き出すための耳かきを提供することが可能となった。
【図面の簡単な説明】
【００１８】
【図１】は、本考案に係る、耳かきの正面図、及び側面図である。  図１（ａ）は、本考案に係る、耳かきの正面図である。  図１（ｂ）は、本考案に係る、耳かきの側面図である。
【図２】は、本考案に係る、杓子状の耳かき部、及びの円盤状の耳かき部の拡大図である。  図２（ａ）は、本考案に係る、杓子状の耳かき部の拡大図である。  図２（ｂ）は、本考案に係る、盤状の耳かき部の拡大図である。
【図３】は、本考案に係る、円盤状の耳かき部の斜視図である。
【図４】は、本考案に係る、他の実施態様を示す耳かきの正面図である。
【符号の説明】
【００１９】
１００                    耳かき
Ｓ                        棒状の軸部
ＳＡ                      棒状の軸部の先端の一端
ＳＢ                      棒状の軸部の先端の他端
Ｅ１                      杓子状の耳かき部
Ｅ２                      円盤状の耳かき部
Ｓ１                      太径部
Ｓ２                      細径部
【図１】
0003152975.tif 000003
【図２】
0003152975.tif 000004
【図３】
0003152975.tif 000005
【図４】
0003152975.tif 000006